(57)【要約】【課題】バナー広告の表示されるエリアを相似形のエリアで大小に分割し、分割したエリアにバナー広告が収まるように縮小表示し、マウスカーソルを対応させたときに瞬時に所定の大きさになって表示され省スペースのバナー広告の表示方法を提供すること。【解決手段】ウェブページ上の特定のエリアに配置された広告掲載エリアＡを拡大表示エリアＢと、段階的にその大きさが設定された複数の表示エリアｃからなるバナー広告エリアＣとで構成し、拡大表示エリアＢとバナー広告エリアＣを構成する全ての表示エリアｃは相似形に形成され、上記表示エリアｃに表示されるバナー広告は、割り当てられた表示エリアｃのサイズに応じて縮小表示されるとともに、上記表示エリアｃにマウスカーソルＭＣを移動すると、マウスカーソルＭＣを重ねた表示エリアｃに配置されたバナー広告が上記拡大表示エリアＢに拡大表示されるようにした。【選択図】図３
2009053219.tif 000002
【特許請求の範囲】
【請求項１】
ウェブページ上の特定のエリアに広告掲載エリアを設定し、該広告掲載エリアを拡大表示エリアとバナー広告を表示するバナー広告エリアとで構成した、以下の要件を備えることを特徴とするバナー広告の表示方法。
（イ）上記バナー広告エリアは、複数の表示エリアに分割され、各表示エリアにはバナー広告が表示されるとともに、全ての表示エリアは上記拡大表示エリアと相似形に形成されていること
（ロ）上記表示エリアにマウスカーソルを移動すると、マウスカーソルが重なった表示エリアのバナー広告は上記拡大表示エリアに拡大表示されること
【請求項２】
以下の要件を備えることを特徴とする、請求項１記載のバナー広告の表示方法。
（イ）前記表示エリアは、大きなサイズから小さなサイズまで段階的にその大きさが設定され、全ての表示エリアは上記拡大表示エリアと相似形に形成されていること
（ロ）上記表示エリアに表示されるバナー広告は、割り当てられた表示エリアのサイズに応じて縮小表示されていること
【請求項３】
前記表示エリアは広告主の入札金額に応じてその大きさ又は位置が振り分けられる、請求項１又は２記載のバナー広告の表示方法。
【請求項４】
前記表示エリアの振り分けは、入札金額に代えてバナー広告をクリックした回数に対応して振り分けられる、請求項３記載のバナー広告の表示方法。
【発明の詳細な説明】
【技術分野】
【０００１】
本発明は、バナー広告の表示方法、詳しくはインターネットを通じ、ウェブブラウザ上に表示されるページ上の限られたスペース内で広告枠を分け合うバナー広告の表示方法に関するものである。
【背景技術】
【０００２】
従来、インターネットにてホームページ上に使われているバナー広告がある。これは、比較的高度な技術を用いることなく、ホームページ上に配置できるため、現在、広く一般に普及している。このバナー広告は、ユーザーの使用する端末が所望のホームページを表示しているとき、そのホームページ上に配置されているもので、ユーザーがマウスカーソルを所望するバナー広告に移動させ、クリック操作すると、広告主のホームページにリンクしてホームページをユーザーの端末に表示させるようになっているものであるが、複数表示されたバナー広告の中から如何にしてユーザーに閲覧してもらえるかという情報提供方法が提案されている（例えば、特許文献１）。この方法は、バナー広告をクリックすることによりコンテンツの内容を表示させるとポイントを取得することができ、ユーザーは、より多くのポイントを得ようとして、より多くの広告を閲覧することにより広告の閲覧率を上げることができるようにしたものである。
【特許文献１】特開２００２−５６２８９号公報
【発明の開示】
【発明が解決しようとする課題】
【０００３】
本発明が解決しようとする問題点は、上述のバナー広告は、ユーザーがバナー広告を一々クリックし、その都度コンテンツをダウンロードしなければならず、バナー広告を確認するのには時間を要するもので、効率の悪いものにならざるを得ない問題があった。しかも、バナー広告から広告の概要を把握できるようにするためにはスペースを広く取らなければならず、その為にホームページ上のかなりのスペースを占用しなければならない問題があった。
【０００４】
本発明は、上記問題点を解決し、入札した金額に応じてバナー広告の表示されるエリアの大小、又は位置を決定し、各バナー広告はそのエリアに収まるように縮小し、マウスカーソルを重ねた時に瞬時に所定の大きさになって表示されるとともに、表示される大きさに対応してレイアウトデザインの変更をする必要のない、省スペースのバナー広告の表示方法を提供することを課題とする。
【課題を解決するための手段】
【０００５】
前記課題を解決するために本発明に係るバナー広告の表示方法は、ウェブページ上の特定のエリアに広告掲載エリアを設定し、該広告掲載エリアを拡大表示エリアとバナー広告を表示するバナー広告エリアとで構成した、以下の要件を備えることを特徴とする。
（イ）上記バナー広告エリアは、複数の表示エリアに分割され、各表示エリアにはバナー広告が表示されるとともに、全ての表示エリアは上記拡大表示エリアと相似形に形成されていること
（ロ）上記表示エリアにマウスカーソルを移動すると、マウスカーソルが重なった表示エリアのバナー広告は上記拡大表示エリアに拡大表示されること
【０００６】
なお、前記バナー広告の表示方法は以下の要件を備えるようにしてもよい。
（イ）前記表示エリアは、大きなサイズから小さなサイズまで段階的にその大きさが設定され、全ての表示エリアは上記拡大表示エリアと相似形に形成されていること
（ロ）上記表示エリアに表示されるバナー広告は、割り当てられた表示エリアのサイズに応じて縮小表示されていること
【０００７】
そして、前記表示エリアは広告主の入札金額に応じてその大きさ又は位置が振り分けられるようにすればよい。
【０００８】
また、前記表示エリアの振り分けは、入札金額に代えてバナー広告をクリックした回数に対応して振り分けられるようにしてもよい。
【発明の効果】
【０００９】
請求項１の発明によれば、ウェブページ上の特定のエリアに広告掲載エリアを配置し、広告掲載エリアを拡大表示エリアと、複数の表示エリアからなるバナー広告エリアとで構成され、全ての表示エリアは拡大表示エリアと相似形に形成されるとともに、表示エリアに表示されるバナー広告は、割り当てられた表示エリアのサイズに応じて縮小表示されているので、上記バナー広告エリアにマウスカーソルを移動するだけでそのバナー広告エリア内のバナー広告は拡大表示エリアに瞬時に拡大表示され、バナー広告エリアに表示されている内容がそのまま拡大表示されるので、拡大縮小によるデザインレイアウトの変更がないバナー広告の表示方法を提供することができる。
【００１０】
請求項２の発明によれば、表示エリアは、大きなサイズから小さなサイズまで段階的にその大きさを設定したので、大きいエリアを獲得した広告主は優位性を保つことができるため、大きいエリアを取得しようとする競争を生むことができるが、小さなエリアであっても内容は変らないので広告主の広告意図を損なうことはないバナー広告の表示方法を提供することができる。
【００１１】
請求項３の発明によれば、広告主の入札金額に応じて、表示エリアの大きさや位置が振り分けられるので、広告主の広告意欲が反映されるバナー広告の表示方法を実現することができる
請求項４の発明によれば、バナー広告をクリックした回数に対応してバナー広告エリアの大きさや、位置が変るので、ウェブページ上に表示された段階で広告主の広告意図が反映されユーザーの関心を引くことができる。
【発明を実施するための最良の形態】
【００１２】
図１は本発明のバナー広告の表示方法が適用されるネットワークの構成図の一例を示し、この構成図において、ウェブサーバー１とユーザー端末２とはインターネット３を介して接続され、ユーザーはウェブブラウザが動作するユーザー端末２をインターネット３に接続後、ウェブサーバー１にアクセスしてバナー広告を入手するようになっているもので、ウェブサーバー１には広告主、広告データ、広告主のＨＰにアクセスするためのＵＲＬなどの広告主情報と、入札した金額に対応して順位付けされて記憶された広告主リスト４ａが収容されたデータベース４が設けられ、ユーザー端末２がウェブサーバー１にアクセスすると、ウェブサーバー１は広告主リスト４ａをユーザー端末２に送信し、ユーザー端末２のウェブブラウザはリストの順位に基づいて、ウェブページ上の特定のエリアを分割し、分割した各表示エリアに対応して広告主のバナー広告を表示し、そのバナー広告をみてユーザーは広告主の情報を提供するコンテンツサーバー５にアクセスし広告主の情報を入手するようになっている。なお、ウェブサーバー１とコンテンツサーバー５とは同一のサーバーであってもよい。
【００１３】
上記システムにおいて、広告主がウェブサーバーに広告を依頼する際、本発明では広告主リスト４ａのウェブページ上に表示される位置は入札で決定し、入札金額の高い広告主を小さなリスト番号（例えば、最も入札金額の高い広告主はリスト番号１）に設定し、順次入札金額に対応してリスト番号を大きく設定し、データベース４に登録するようにしている。
【００１４】
なお、この入札に代えてバナー広告を閲覧して広告主の情報を提供するサーバー５にアクセスした回数をカウントし、カウントした回数により課金を行なうとともに、所定期間経過後のカウント値に応じてリスト番号を振り替えるようにしても構わない。
【００１５】
図２は、ユーザー端末２のウェブページ上に表示される広告掲載エリアＡの一例を示し、この広告掲載エリアＡは入札した広告主の数によりその分割の仕方が変るもので、この広告掲載エリアＡは拡大表示エリアＢとバナー広告エリアＣとから構成され、バナー広告エリアＣは広告主の数で分割されるとともに、入札金額に応じてその大きさ及び位置が設定されている。
【００１６】
図２（ａ）では、バナー広告エリアＣを９件の広告主で分割した場合を示し、９件の広告主のバナー広告は表示エリアｃ１〜ｃ９に対応して配置され、表示エリアｃ１、ｃ２とｃ３〜ｃ５とｃ６〜ｃ９とはそれぞれ同じ大きさに形成されるとともに、拡大表示エリアＢと相似形に設定され、表示エリアｃ１〜ｃ９に配置されたバナー広告は拡大表示エリアＢに拡大して表示させることができ、拡大時には拡大表示エリアＢと同じサイズになるようになっている。
【００１７】
なお、図２（ｂ）に示すように、バナー広告エリアＣを固定エリアＣ１と、変動エリアＣ２とで構成し、多くの広告主が入札した場合は、必要に応じて変動エリアＣ２のエリアを増減させるようにしてもよい。
【００１８】
図３はバナー広告の表示の仕方を説明するもので、図３（ａ）に示すように、バナー広告エリアＣに表示エリアｃ１〜ｃ１５が設定されている場合、表示エリアｃ１０にマウスカーソル（マウスポインター）ＭＣを重ねると、マウスカーソルＭＣが載った表示エリアｃ１０のバナー広告（例えば、「効果的な広告方法はこれだ！ｈｔｔｐ：／／ｗｗｗ．○○△△．ｃｏ．ｊｐ」と表示されている場合）は、図３（ｂ）に示すように、拡大表示エリアＢに拡大して表示され広告の詳細が表示から読み取ることができるようにしたもので、マウスカーソルＭＣがバナー広告エリアＣの何処に置かれたかはウェブブラウザのＪａｖａＳｃｒｉｐｔ（登録商標）で記述されたプログラムによって監視され、表示エリアｃにマウスカーソルＭＣが重ねられたことを認識したときにはその表示エリアｃのバナー広告を拡大表示するために拡大表示エリアＢ内を書き換えるようになっている。
【００１９】
なお、バナー広告エリアＣの何処に広告主のバナー広告が表示されるかは、前述したように入札金額に応じてその場所が決定するようになっており、入札した結果は、図４に示すように、データベース４の広告主リスト４ａに記載されてリスト番号１、２、３、・・・が付与され、このリスト番号に対応して、バナー広告エリアＣの表示エリアｃ（ｃ１、ｃ２、ｃ３、・・・）が対応し、その表示エリアｃ（ｃ１、ｃ２、ｃ３、・・・）にそれぞれ納まるように広告主のバナー広告が縮小されて表示されるようになっている。
【００２０】
次に、図５のチャート図に基づいて上述したバナー広告の表示方法について説明する。
【００２１】
ユーザー端末（ウェブブラウザ）２はバナー広告のあるホームページにアクセスすると（ａ１０１）、ウェブサーバー１はホームページをウェブブラウザ２に返す（ａ２０１）。
【００２２】
ウェブブラウザ２はダウンロードされたホームページ内に記述されたＪａｖａＳｃｒｉｐｔ（登録商標）で記述されたプログラムが広告数をウェブサーバー１に要求する（ａ１０２）。
【００２３】
ウェブサーバー１は、データベース４を参照し、該当するホームページに関連付けて登録された広告数をウェブブラウザ２に返す（ａ２０２）。
【００２４】
ウェブブラウザ２はウェブサーバー１から受け取った広告数にあわせて、例えば今までバナー広告エリアＣに５件のバナー広告が表示されていた広告掲載エリアＡ（図６（ａ）参照）を、バナー広告エリアＣに７件のバナー広告を表示するための広告掲載エリアＡに再作成する（（図６（ｂ）参照）。広告掲載エリアＡのバナー広告エリアＣのサイズは固定化されているものではなく、広告主の増減に対応して変化するようになっている。
【００２５】
次にウェブブラウザ２は広告掲載エリアに必要な広告主リスト４ａをウェブサーバー１に要求する（ａ１０３）。
【００２６】
広告主リスト４ａを要求されたウェブサーバー１はデータベース４を参照し、あるページに関連付けて登録された広告主リスト４ａをソートし入札金額で順位付けがなされた広告主リスト４ａをウェブブラウザ２に送信する（ａ２０３）。
【００２７】
広告主リスト４ａを受け取ったウェブブラウザ２は、広告主リスト４ａの順位と広告掲載エリアＡの順位を関連付けてバナー広告をバナー広告エリアＣに配置する（図４参照）
ユーザーがバナー広告を閲覧するためにマウスカーソルＭＣを移動させると、ＪａｖａＳｃｒｉｐｔで記述されたプログラムはバナー広告エリアＣ内のどの表示エリアｃにマウスカーソルＭＣがあるかを監視し、マウスカーソルＭＣが表示エリアｃ内にある場合、その表示エリアｃの内容を拡大して拡大表示エリアＢ内を書き換える（図３参照）。
【００２８】
ユーザーは拡大表示エリアＢに表示された内容を見た上で、その広告主の情報を入手したい場合は、拡大表示エリアＢに表示がされている状態で表示エリアｃをクリックするとバナー広告にはマウスカーソルＭＣにクリックされることにより指定されたＵＲＬに移動するアクションを付加されているため、クリックによりインターネット３を介してＵＲＬで指定された広告主の情報を管理するコンテンツサーバー５にアクセスし（ｂ１０１）、そのコンテンツサーバー５はホームページをウェブブラウザに返す（ｂ２０１）ので、ユーザー端末２のウェブブラウザウインドウに指定されたＵＲＬのホームページが表示される。
【００２９】
上述したように、入札金額に応じてバナー広告の表示される表示エリアのスペースの大小が決定し、そのスペースに対応してバナー広告の縮小の比率が変るが、入札した広告主のバナー広告は表示の大小はあっても必ずウェブブラウザウインドウの広告掲載エリアＡに表示されているので、ユーザーがそのエリアにマウスカーソルを重ねるだけで拡大表示エリアＢに即座に拡大して表示されるので、その都度ウェブサーバー１からダウンロードする必要がなく瞬時にバナー広告を見ることができる。広告掲載エリアＡ内をマウスカーソルＭＣを移動させるだけで拡大表示エリアＢに拡大表示されるので、入札金額の少ない広告主もユーザーの目に止まる確立が増すとともに、入札金額の高い広告主と、入札金額の低い広告主との表示内容は表示エリアにある時点ではサイズの大小の違いはあれ、拡大表示エリアＢに表示される内容とバナー広告エリアＣに表示される内容は同一なので、低い入札価格の広告主も広告意図が損なわれることがない。
【００３０】
また、拡大表示エリアに表示される内容は、表示エリアに表示される内容を拡大しただけで、サイズの違いはあっても同一の内容で構成されているので、拡大縮小によるデザインレイアウトの変更がない、しかも、入札金額が変って表示位置が上下いずれかに移動した場合も、広告主のリスト番号が変るだけでデザインレイアウトを変える必要がないので製作上のコストの削減も図ることができる。
【００３１】
なお、上述のバナー広告の表示方法では、表示エリアの大きさは大きなエリアから小さなエリアまで段階的に設定した場合について説明したが、この表示エリアの大きさは全て同じ大きさで設定されていてもよい。この時の、広告主に割り当てられる表示エリアの位置は入札金額に応じて上から下に順次振り分けてもよいし、広告主の希望する位置を入札金額に応じて受け入れて設定してもよい。
【図面の簡単な説明】
【００３２】
【図１】本発明のバナー広告の表示方法が適用されるネットワークの構成図
【図２】（ａ）（ｂ）は広告掲載エリアの説明図
【図３】（ａ）（ｂ）はバナー広告の拡大表示の説明図
【図４】広告主リストと広告掲載エリアとの関係の説明図
【図５】バナー広告の表示方法のチャート図
【図６】（ａ）（ｂ）は広告掲載エリアの説明図
【符号の説明】
【００３３】
１    ウェブサーバー
２    ユーザー端末（ウェブブラウザ）
３    インターネット
Ａ    広告掲載エリア
Ｂ    拡大表示エリア
Ｃ    バナー広告エリア
ｃ    表示エリア
【図１】
2009053219.tif 000003
【図２】
2009053219.tif 000004
【図３】
2009053219.tif 000005
【図４】
2009053219.tif 000006
【図５】
2009053219.tif 000007
【図６】
2009053219.tif 000008